(57)【特許請求の範囲】
【請求項１】
軸筒に形成した摺動孔に、ノック体の外壁に形成した係止部を摺動可能に配設し、前記軸筒の後端部より突出したノック体を押圧することにより、前記軸筒内に配設した筆記体の筆記先端部を軸筒の先端開口部から突出可能なノック式筆記具において、前記ノック体に、先端から軸心方向に沿って伸びるスリットを、前記ノック体の係止部と前記軸筒の軸心を結ぶ線に対し、略垂直方向に２個所形成し、前記ノック体の先端部に、前記ノック体の係止部を形成する上片と、前記ノック体の上片のスリットで対峙する下片とを設け、前記軸筒の内壁に、前記スリット内に位置する突部を形成するとともに、前記突部が、前記ノック体の上片の内側への移動を規制する上片規制部と、前記上片規制部よりも軸筒先端側及び前記ノック体の下片側に、前記下片の内側への撓みを規制する下片規制部とを有することを特徴とするノック式筆記具。
【請求項２】
前記ノック体の外壁に、前記スリットに連通する案内溝を形成するとともに、前記突部が、前記案内溝に位置することを特徴とする請求項１に記載のノック式筆記具。
【請求項３】
前記上片規制部の先端部の外壁が、軸筒先端側に向かって軸心側に傾斜する傾斜面としたことを特徴とする請求項１または２に記載のノック式筆記具。
【発明の詳細な説明】
【技術分野】
【０００１】
本発明は、軸筒に形成した摺動孔に、ノック体の外壁に形成した係止部を摺動可能に配設し、前記軸筒の後端部より突出したノック体を押圧することにより、前記軸筒内に配設した筆記体の筆記先端部を軸筒の先端開口部から突出可能なノック式筆記具に関する。
【背景技術】
【０００２】
従来から、特開２０００−２１８９８７号公報「出没式筆記具」や特開平９−５８１８２号「筆記具」に開示のように、軸筒内に配設した筆記体を、前記軸筒に形成した摺動孔に、外壁に形成した係止部を摺動可能にノック体を係合し、前記軸筒の後端部より突出したノック体を押圧することにより、前記筆記体の筆記先端部を軸筒の先端開口部から突出可能なノック式筆記具は、よく知られている。
【０００３】
こうしたノック式筆記具にあっては、ノック体の係止部を軸筒の摺動孔に配設するために、ノック体をスリットによって内側に撓ませた状態で、軸筒内に挿入し、押し込むと、ノック体の係止部が、軸筒の摺動孔に到達すると、ノック体自体の弾性力によって、撓んでいた状態から復元し、ノック体の係止部を軸筒の摺動孔に配設していた。
【先行技術文献】
【特許文献】
【０００４】
【特許文献１】特開２０００−２１８９８７号公報
【特許文献２】特開平９−５８１８２号公報
【発明の概要】
【発明が解決しようとする課題】
【０００５】
しかし、特許文献１、２のように、ノック体自体の弾性力によって、撓んでいた状態から復元するには、その構造及び材質等が制限される問題があった。また、完全に復元できないと、軸筒の摺動孔に配設していたノック体の係止部が外れてしまう恐れがあった。
【０００６】
また、ノック体の係止部と軸筒の摺動孔を位置合わせする必要があり、こうした問題を鑑みて、係止部の幅を小さく及び／または摺動孔の幅を大きくすることが考ええらるが、ノック体の摺動時にがたつく恐れがある。
【０００７】
本発明の目的は、ノック体の係止部を軸筒の摺動孔に配設し易く、且つ外れ難いノック式筆記具を簡単な構造で提供することである。
【課題を解決するための手段】
【０００８】
本発明は、軸筒に形成した摺動孔に、ノック体の外壁に形成した係止部を摺動可能に配設し、前記軸筒の後端部より突出したノック体を押圧することにより、前記軸筒内に配設した筆記体の筆記先端部を軸筒の先端開口部から突出可能なノック式筆記具において、前記ノック体に、先端から軸心方向に沿って伸びるスリットを、前記ノック体の係止部と前記軸筒の軸心を結ぶ線に対し、略垂直方向に２個所形成し、前記ノック体の先端部に、前記ノック体の係止部を形成する上片と、前記ノック体の上片のスリットで対峙する下片とを設け、前記軸筒の内壁に、前記スリット内に位置する突部を形成するとともに、前記突部が、前記ノック体の上片の内側への移動を規制する上片規制部と、前記上片規制部よりも軸筒先端側及び前記ノック体の下片側に、前記下片の内側への撓みを規制する下片規制部とを有することを特徴とする。
【０００９】
また、前記ノック体の外壁に、前記スリットに連通する案内溝を形成するとともに、前記突部が、前記案内溝に位置することを特徴とする。
【００１０】
また、前記上片規制部の先端部の外壁が、軸筒先端側に向かって軸心側に傾斜する傾斜面としたことを特徴とする。
【００１１】
本願発明の請求項１の構成によれば、前記ノック体に、先端から軸心方向に沿って伸びるスリットを、前記ノック体の係止部と前記軸筒の軸心を結ぶ線に対し、略垂直方向に２個所形成し、前記ノック体の先端部に、前記ノック体の係止部を形成する上片と、前記ノック体の上片のスリットで対峙する下片とを設け、前記軸筒の内壁に、前記スリット内に位置する突部を形成するとともに、前記突部が、前記ノック体の上片の内側への移動を規制する上片規制部と、前記上片規制部よりも軸筒先端側及び前記ノック体の下片側に、前記下片の内側への撓みを規制する下片規制部とを有するため、ノック体の係止部の内側への撓み難くすることができる。
【００１２】
また、前記ノック体の係止部を前記軸筒の摺動孔にスムーズに案内し、且つノック体と軸筒との組立性を向上する。これは、縦断面において、先端面が前記上片規制部よりも軸筒先端側、且つ前記ノック体の下片側に位置し、前記下片の内側への撓みを規制する下片規制部を有することで、前記下片規制部によって、ノック体は、下片の内側への撓みを抑制するのみならず、ノック体の回転方向の移動を規制し、周方向の位置だしを行うため、ノック体をスムーズに案内するためである。また、上片規制部は、下片規制部よりも軸筒後端側に設けているため、ノック体の上片が撓んだ状態を維持してノック体の係止部が、軸筒の摺動孔に近接するため、組立性を向上するためである。
【００１３】
尚、前記突部は、前記ノック体の係止部を前記軸筒の摺動孔に配設した後、前記筆記体の筆記先端部が軸筒の先端開口部から突出又は没入に関わらず、常時、スリット内に位置することが肝要であり、その結果、ノック体の前後動及びノック体内に筆記体等を配設するときに、内側の撓みが発生せずにノック操作及び組立することができる。また、上片規制部と下片規制部を有するものであれば、一本又は離間して形成してもよいが。また、円弧形状やリブ形状等、形状や数は特に限定されないが、撓みの規制力や成形性を考慮して、軸心に沿って延びるリブ形状、且つ、上片規制部と下片規制部を離間して併設することが最も好ましい。
【００１４】
本願発明の請求項２の構成によれば、前記ノック体の外壁に、前記スリットに連通する案内溝を形成するとともに、前記突部が、前記案内溝に挿通するため、周方向の回転防止を確実に行うとともに、軸筒先端側からノック体を挿入し、軸筒後端側に押し込むことで、前記した突部は、案内溝を通じてスリットに挿通するため、ノック体の先端部が内側に撓んだ状態であっても、撓みによる影響のない案内溝に、突部が挿通して案内されるため、組立性を著しく向上することができる。
【００１５】
本願発明の請求項３の構成によれば、前記上片規制部の先端部が、軸筒先端側に向かって軸心側に傾斜する傾斜面とすることで、ノック体のスリットに前記上片規制部が挿通しても、ノック体の係止部と軸筒の摺動孔に到達するまで、ノック体の先端部が内側に撓んだ状態を維持し易く、上片が復元する方向に急激に力が加わらないために、組立性を向上することができる。尚、前記した軸筒先端側に向かって軸心側に傾斜する傾斜面は、円弧状や直線状であってもよい。
【発明の効果】
【００１６】
本発明は、ノック体の係止部を軸筒の摺動孔に配設し易く、且つ外れ難いノック式筆記具を簡単な構造で提供することができた。
【図面の簡単な説明】
【００１７】
【図１】実施例１のノック式筆記具を示す、縦断面図である。
【図２】図１における筆記体の筆記先端部が突出した状態を示す図である。
【図３】図１における要部拡大断面図である。
【図４】図２における要部拡大断面図である。
【図５】後軸の拡大縦断面図である。
【図６】ノック体の拡大縦断面図である。
【図７】後軸とノック体の組立工程を示す後軸断面及びノック体外観図である。
【図８】後軸とノック体の組立工程を示す後軸断面及びノック体外観図である。
【図９】後軸とノック体の組立工程を示す後軸断面及びノック体外観図である。
【図１０】後軸とノック体の組立工程を示す後軸断面及びノック体外観図である。
【図１１】図７におけるＡ−Ａ拡大断面図である。
【図１２】図８におけるＢ−Ｂ拡大断面図である。
【図１３】図８におけるＣ−Ｃ拡大断面図である。
【図１４】図１０におけるＤ−Ｄ拡大断面図である。
【図１５】図１０におけるＥ−Ｅ拡大断面図である。
【発明を実施するための最良の形態】
【００１８】
次に図面を参照しながら、本発明の筆記具の軸筒の実施例を説明するが、本発明は以下の実施例に限定されるものではない。
【００１９】
実施例１
図１から図１５に示す、ノック式筆記具１は、前軸２と後軸３を螺着して軸筒本体を構成し、軸筒本体内に配設した筆記体１１をピストン５内に、筆記体保持部材９を介して、着脱自在に圧入装着するとともに、コイルスプリング受け部材１３、１４間に配設したコイルスプリング１６によって、軸筒後端側のコイルスプリング受け部材１３を介してピストン５及び筆記体保持部材９、筆記体１１、シリンダー６を、後軸３の後端方向に付勢して摺動自在に配設してある、筆記先端部１２の出没機構を具備した加圧式のノック式筆記具１である。
【００２０】
筆記体１１の筆記先端部１２の出没機構は、従来から知られているもので、ノック体４を前軸２の先端開口部２ａ方向に押圧（図１の矢印Ｆ方向）すると、後軸３の摺動孔３ａに摺動自在に配設したノック体４の外壁に形成した係止部４ｃが、クリップ１０の先端部の被係止部１０ａに係止して、筆記体の筆記先端部１２を、前軸２の先端開口部２ａから突出した状態を維持し、クリップ１０の後端部を押圧して、クリップの被係止部１０ａに係止した係止部４ｃを解除すると、コイルスプリング１６の付勢力によって、筆記体１１の筆記先端部１２を前軸２の先端開口部２ａ内に没入することができる出没機構である。
【００２１】
筆記体１１は、インキ収容筒の先端に、ボールを回転自在に抱持したボールペンチップからなる筆記先端部１２を装着し、内部に、２０℃、剪断速度３．８ｓｅｃ−１（１０ｒｐｍ）におけるインキ粘度が８０００ｍＰａ・ｓである油性の筆記具用インキ（図示せず）を直に充填してある。
【００２２】
筆記体１１の後端部は、ピストン５内に圧入した筆記体保持部材９に圧入保持されており、ピストン５の後端部に形成した空気孔５ａからピストン５の内外を連通してある。また、ピストン５を覆うようにシリンダー６を配設し、このシリンダー６の先端面６ａが、ピストン５の外壁に形成した外壁段部５ｂが当接し、シリンダー６に連動してピストン５を前軸２の先端開口部２ａ方向に移動可能に配設する。また、ピストン５とノック体４間にスプリング１５を配設してあり、ノック体４を常時、後軸３の後端方向に付勢して配設してある。
【００２３】
加圧機構及び出没機構を詳述すると、筆記先端部１２が没入した位置からノック体４を前軸２の先端開口部２ａ方向に前進させると、先ず、ノック体４内に装着した、弾性体８が、シリンダー６の後端面に圧接して、空気孔６ｂを閉鎖してシリンダー６内を密閉する。さらに、ノック体４が前軸２の先端開口部２ａ方向に前進すると、シリンダー６を前軸２の先端開口部２ａ方向に前進させる。
【００２４】
筆記体１１は、筆記体保持部材９に圧入保持され、筆記体保持部材９は、ピストン５内に圧入してあるとともに、ピストン５の外壁面とシリンダー６の内壁面６ｃは、Ｏリング７によって互いに摺動自在に密閉してあるため、筆記体１１の後端部は、ピストン５に連通し、ピストン５は、空気孔５ａを通じてシリンダー６内に連通するので、シリンダー６の先端面６ａが、ピストン５の外壁段部５ｂに当接するまで、シリンダー６内の空間部を圧縮することで、ピストン５内の空間部も圧縮されるため、筆記体１１の後端部に圧力を加えることができる。
【００２５】
さらにノック体４を前軸２の先端開口部２ａ方向に前進すると、シリンダー６を介してピストン５、筆記体１１を前進させ、ノック体４の外壁に形成した係止部４ｃが、クリップ１０の先端部の被係止部１０ａに係止して、加圧した状態及び筆記体１１の筆記先端部１２を、前軸２の先端開口部２ａから突出した状態を維持することができる。
【００２６】
また、クリップ１０の被係止部１０ａに係止した係止部４ｃを解除すると、先ず、スプリング１５の付勢力によって、ノック体４が後軸３の後端方向に後退する。この時、シリンダー６の後端面に圧接していた弾性体８もノック体４と共に、後軸３の後端方向に後退するため、シリンダー６の空気孔６ｂを開放して、シリンダー６内、さらにはピストン５及び筆記体１１の後端部の密閉を解除して、大気圧と同圧にする。
【００２７】
さらに、コイルスプリング１４の付勢力によって、ピストン５及び筆記体１１、シリンダー６を、後軸３の後端方向に後退させ、筆記体１１の筆記先端部１２を前軸２の先端開口部２ａから没入する加圧機構及び出没機構である。
【００２８】
ノック体４は、先端から軸心方向に沿って伸びるスリット４ｆを、ノック体４の係止部４ｃとノック体４の軸心Ｊを結ぶ線Ｌに対し、略垂直方向の線Ｍ上に２本形成し、ノック体４の先端部に、スリット４ｆを対峙して上片４ａと下片４ｂが内側に撓み可能に設けてある。また、後軸３については、内壁に、軸心に沿って延び、下片側の壁面の下片規制部３ｄａを有する突部３ｄを２本、下片規制部３ｄａよりも後軸３の後端側、且つ後軸３の摺動孔３ａ側に、ノック体４の内側への撓み倒れを防止する、上片側の壁面の上片規制部３ｃａを有する突部３ｃを２本、併設して形成してある。突部３ｃ、３ｄは、ノック体４の係止部４ｃと後軸３の摺動孔３ａに配設した後、ノック体４のスリット４ｆ内に位置する。また、後軸３内には、ノック体４のガタツキを抑制する凸部３ｅを周方向の異なる位置に複数本形成してある。
【００２９】
ノック式筆記具１の組立方法は、図７から図１０に示すように、先ず、後軸３内にノック体４を配設する。具体的には、ノック体４は、後軸３の先端開口部３ｆ側から挿入する。次に、ノック体４の上片４ａを切り欠き部４ｆによって内側へ撓ませた状態（図７の矢印Ｈ）で後軸３の後端側へ押し込む（図７の矢印Ｇ方向）と、後軸３内に形成した下片規制部３ｄａが溝４ｇに達し、さらにノック体４を後軸３の後端側へ押し込むと、下片規制部３ｄａが溝４ｇを通過してスリット４ｆ内に位置し、下片４ｂの内側への撓み及び周方向の回転を規制し、ノック体４の係止部４ｃと後軸３に形成した摺動孔３ａとの位置だしを行う。
【００３０】
さらに、ノック体４を後軸３の後端側へ押し込むと、図８に示すように、ノック体４の係止部４ｃが後軸３に形成した摺動孔３ａに配設する前に、ノック体４のスリット４ｆ内に凸部３ｃの上片規制部３ｃａが溝４ｇを通過して位置する。尚、上片規制部３ｃａの先端部には、軸筒先端側に向かって軸心側に傾斜する傾斜面Ｋを形成してある。
【００３１】
さらにまた、ノック体４を後軸３の後端側へ押し込むと、ノック体４の係止部４ｃが後軸３に形成した摺動孔３ａに配設し、撓んでいたノック体４の上片４ａが、自体の復元力及び上片規制部３ｃａによって復元し、図９、図１０に示すように、係止部４ｃが摺動孔３ａより外方に突出して摺動自在に配設してある。さらにその後、ノック体４内に、ピストン５、シリンダー６等の加圧機構部、筆記体１１を順次配設し、最後に、前軸２と後軸３を螺着してノック式筆記具を組み立てている。
【００３２】
尚、ノック体４は、係止部４ｃが後軸３の摺動孔３ａにおける後端側の壁面３ａａに当接せずに、ノック体４の段部４ｅと後軸３内の段部３ｂが当接して、後方への移動を規制しているため、没入時の力が、係止部４ｃに影響し難く、外れ難くすることができる。また、クリップ１０は、後軸３の外壁に形成した支柱３ｇと、クリップ１０の内壁間に第２コイルスプリング１７を配設することにより、クリップ１０の先端部を、後軸３の外壁面側に常時弾発して付設してある。また、クリップ１０の後端部を押圧（図２の矢印Ｇ方向）することにより、クリップ１０と後軸３との連結部Ｒを支点とし、クリップ１０の先端内壁部を後軸３の外壁面から離間可能にしてある。さらに、少なくとも上片規制部は、ノック体の係止部とクリップの被係止部との係止位置よりも後方から形成することで、上片に遊びが発生し、係止し易くなるので好ましい。
【００３３】
本実施例では、便宜上、ノック体の移動により加圧する加圧式のノック式筆記具を例示しているが、加圧式に限定されるものではない。但し、加圧式のノック式筆記具に用いる場合には、ノック体内に加圧機構部を配設する必要があり、ノック体が撓んでいると、組立性が著しく低下するので、本発明の効果は顕著である。
【産業上の利用可能性】
【００３４】
本発明のノック式筆記具は、インキやペン先の種類、出没機構に限定されるものではないので、ノック式筆記具として広く利用可能である。
【符号の説明】
【００３５】
１  ノック式筆記具
２  前軸
２ａ  先端開口部
３  後軸
３ａ  摺動孔
３ｂ  段部
３ｃ  突部
３ｃａ  上片規制部
３ｄ  突部
３ｄａ  下片規制部
３ｅ  凸部
３ｆ  先端開口部
３ｇ  支柱
４  ノック体
４ａ  上片
４ｂ  下片
４ｃ  係止部
４ｄ  先端面
４ｅ  当接部
４ｆ  スリット
４ｇ  溝
５  ピストン
５ａ  空気孔
５ｂ  外壁段部
６  シリンダー
６ｂ  空気孔
６ｃ  内壁面
７  Ｏリング
８  弾性体
９  筆記体保持部材
１０  クリップ
１０ａ  被係止部
１１  筆記体
１２  筆記先端部
１３、１４  コイルスプリング受け部材
１５  スプリング
１６  コイルスプリング
１７  第２コイルスプリング
【図１】
0005496058.tif 000002
【図２】
0005496058.tif 000003
【図３】
0005496058.tif 000004
【図４】
0005496058.tif 000005
【図５】
0005496058.tif 000006
【図６】
0005496058.tif 000007
【図７】
0005496058.tif 000008
【図８】
0005496058.tif 000009
【図９】
0005496058.tif 000010
【図１０】
0005496058.tif 000011
【図１１】
0005496058.tif 000012
【図１２】
0005496058.tif 000013
【図１３】
0005496058.tif 000014
【図１４】
0005496058.tif 000015
【図１５】
0005496058.tif 000016